(57)【要約】      （修正有）【課題】水底の貝を傷つけず効率良く掬い上げる貝取りジョレンの爪構造を提供する。【解決手段】この考案の貝取りジョレンの爪構造は、籠体１の掻取り側開口部の左右方向の底辺に前方下向きに突設され、籠体１の掻取り進行に伴い貝類が生息する底層部に挿入されて貝類を籠体１内に案内して収容させる進行方向に向って円弧状に湾曲した多数の爪片からなる爪部１２を備えており、上記爪部１２の円弧状の外周面側に掻取り進行時に底層部より掘起こされた貝を爪部１２の上部外周側へ誘導させる左右方向のガイドバー１６を設けている。ガイドバー１６は側面視で円弧状の頂点又は頂点近傍に取付けられる。【選択図】図１
0003212690.tif 000002
【実用新案登録請求の範囲】
【請求項１】
籠体（１）の掻取り側開口部の左右方向の底辺に前方下向きに突設され、籠体（１）の掻取り進行に伴い貝類が生息する底層部に挿入されて貝類を籠体（１）内に案内して収容させる進行方向に向って円弧状に湾曲した多数の爪片（１４）からなる爪部（１２）を備えた貝取りジョレンの爪構造。
【請求項２】
開口部の底辺に沿って多数突設された爪片（１４）同士を連結するように、爪部（１２）に左右方向の補強バー（１５）を取付けてなる請求項１に記載の貝取りジョレンの爪構造。
【請求項３】
上記爪部（１２）の円弧状の外周面側に掻取り進行時に底層部より掘起こされた貝を爪部（１２）の上部外周側へ誘導させる左右方向のガイドバー（１６）を設けてなる請求項１に記載の貝取りジョレンの爪構造。
【請求項４】
ガイドバー（１６）が側面視で円弧状の頂点又は頂点近傍に取付けられた請求項３に記載の貝取りジョレンの爪構造。
【請求項５】
多数の爪片（１４）を横方向に並べて一体的に取付ける正面視ゲート状又は逆ゲート状に形成された爪フレーム（１３）を設け、該爪フレーム（１３）を籠体（１）の開口部を形成する開口フレーム（２）に角度調整可能に取付けてなる請求項１〜４のいずれかに記載の貝取りジョレンの爪構造。
【請求項６】
爪フレーム（１３）又は開口フレーム（２）の両側に、上記爪部（１２）によって掻き上げられる貝類を籠体（１）の開口部内に案内する導入案内部（１７）を設けてなる請求項１〜５に記載の貝取りジョレンの爪構造。
【請求項７】
籠体（１）の開口フレーム（２）に取付けられ、左右方向中央に籠体操作用の柄（３）を着脱可能に且つ上向きに取付ける柄ホルダー（７ａ），（７ｂ）を備えた取付フレーム（４）を設け、該取付フレーム（４）を開口フレーム（２）に対して前後方向の角度調節が可能に取付けてなる請求項１〜６のいずれかに記載の貝取りジョレンの爪構造。
【請求項８】
取付フレーム（４）の両側に、開口フレーム（２）の左右両側のサイドフレーム（２ａ），（２ｂ）に沿って取付けられる下部フレーム（６）を下向きに突設し、該下部フレーム（６）を開口フレーム（２）に対し前後揺動可能に且つ前後の傾斜角を調節固定可能に取付けた請求項１〜７のいずれかに記載の貝取りジョレンの爪構造。
【考案の詳細な説明】
【技術分野】
【０００１】
この考案はしじみやあさり等、主として河川，海浜，湖沼等の砂地に生息する貝類を掬い取る貝取りジョレンの爪構造に関する。
【背景技術】
【０００２】
従来上記のような貝類を採取するには、例えば特許文献１，２のように横長の長方形に開口する金属製の籠体の開口部に上向きの柄を取付け、この柄を人手により又は船の移動を利用して水底を掻きながら貝類を掻き取るのが一般的である。
【０００３】
そして上記両文献に示すように籠体の開口部の下端には水底面に先端が挿入されて貝を掻き上げる多数の爪片を所定間隔毎に突設した爪部が設けられている。上記爪片は水底面に突き刺さり易いように鋭利な針状又は和釘状に形成されている。
【先行技術文献】
【特許文献】
【０００４】
【特許文献１】特開２０１３−９４１６３号公報
【特許文献２】実用新案登録第３０３８８０４号公報
【考案の概要】
【考案が解決しようとする課題】
【０００５】
しかし、上記のような針状又は釘状の爪が多数前向きに突出していると、水底中の貝に先端が突き刺さり又は爪間に貝が挟まれたまま籠体が前進すると、貝に掛る土圧によって貝が破損するという欠点があるほか、貝が釘間に挟まれた状態では、水底面の掻き取り作業がスムースにできない。また爪の突き刺さりを良くするために爪を細くすると掻き取り時の土圧や小石等により変形し易いという問題がある。
【０００６】
また爪は直線状に前進方向に突出しているため、特に船で牽引しながら貝漁を行う機械掻き用では、その水底面に対する掻き取り深さ又は厚み確保に限度があり、掻き取り効率も良くない等の問題がある。
【課題を解決するための手段】
【０００７】
上記課題を解決するための本考案の爪構造は、第１に籠体１の掻取り側開口部の左右方向の底辺に前方下向きに突設され、籠体１の掻取り進行に伴い貝類が生息する底層部に挿入されて貝類を籠体１内に案内して収容させる進行方向に向って円弧状に湾曲した多数の爪片１４からなる爪部１２を備えたことを特徴としている。
【０００８】
第２に、開口部の底辺に沿って多数突設された爪片１４同士を連結するように、爪部１２に左右方向の補強バー１５を取付けてなることを特徴としている。
【０００９】
第３に、上記爪部１２の円弧状の外周面側に掻取り進行時に底層部より掘起こされた貝を爪部１２の上部外周側へ誘導させる左右方向のガイドバー１６を設けてなることを特徴としている。
【００１０】
第４に、ガイドバー１６が側面視で円弧状の頂点又は頂点近傍に取付けられたことを特徴としている。
【００１１】
第５に、多数の爪片１４を横方向に並べて一体的に取付ける正面視ゲート状又は逆ゲート状に形成された爪フレーム１３を設け、該爪フレーム１３を籠体１の開口部を形成する開口フレーム２に角度調整可能に取付けてなることを特徴としている。
【００１２】
第６に、爪フレーム１３又は開口フレーム２の両側に、上記爪部１２によって掻き上げられる貝類を籠体１の開口部内に案内する導入案内部１７を設けてなることを特徴としている。
【００１３】
第７に、籠体１の開口フレーム２に取付けられ、左右方向中央に籠体操作用の柄３を着脱可能に且つ上向きに取付ける柄ホルダー７ａ，７ｂを備えた取付フレーム４を設け、該取付フレーム４を開口フレーム２に対して前後方向の角度調節が可能に取付けてなることを特徴としている。
【００１４】
第８に、取付フレーム４の両側に、開口フレーム２の左右両側のサイドフレーム２ａ，２ｂに沿って取付けられる下部フレーム６を下向きに突設し、該下部フレーム６を開口フレーム２に対し前後揺動可能に且つ前後の傾斜角を調節固定可能に取付けたことを特徴としている。
【考案の効果】
【００１５】
以上のように構成される本考案の爪構造は、籠体の開口部の底辺に進行方向に向って円弧状に湾曲突出する爪部を設けているので、水底面に対して比較的深い掻き取りができるほか、爪に過剰な負荷がかからず且つ掻き取り時には貝が土圧によって山形の円弧に沿って上方に向ってスムースに案内され、籠内に導入される。
【００１６】
また円弧状に突出湾曲した爪部に左右方向に補強バー又はガイドバーを設けたので、爪片が連結されて補強されると、土圧による変形や破損が生じないという利点があるほか、爪部の前方外周にガイドバーを設けた場合は爪部より先に水底断面の比較的深い位置まで入って水底の上層を剥ぐように切離すので、切離された水底の上層は爪部の円弧に沿って円滑に後方の籠体内に送り込まれ、これと同時に剥ぎ取られた水底上層内にいた貝類も上記円弧面に沿って籠体内に案内されて効率よくスムースに送り込まれる。
【００１７】
爪フレームを開口フレームに対し角度調節することにより水底部の状態に応じ爪部の傾斜や深さ等を変更し、最も効率の良い状態で貝の採取ができる。
また開口部下部両側に設けた導入案内部により、爪部に沿って上昇案内された貝類は、開口部の両外側に逃がされることなく籠体の内部に案内され、収容される。
【００１８】
さらに籠体に柄を取付ける取付フレームを籠体に対する前後方向の傾斜角を調節することにより、漁場の水底環境に応じ掻き取りが最も円滑に且つ効率よく行われるように条件設定ができる。
【図面の簡単な説明】
【００１９】
【図１】本考案の爪部を有するジョレンの全体機構を示す斜視図である。
【図２】爪部の全体斜視図である。
【図３】爪部を取付けた籠体の側面図である。
【考案を実施するための形態】
【００２０】
以下図示する本考案の実施形態につき詳述すると、図１，図２に示すように直方体状のジョレンは、上下左右の周壁と後壁がそれぞれステンレス製の格子状又は網状等で籠体１が形成されており、前方は開口フレーム２によって補強されている。周壁や後壁の格子間隔や網目の大小は採取する貝のサイズの大小に対応している。
【００２１】
開口フレーム２は左右両側と底部の周壁の前端を補強するように固着されており、プレート状の左右のサイドフレーム２ａ，２ｂを備えている。これに対し籠体１を操作する柄３の取付フレーム４は、サイドフレーム２ａ，２ｂの内面（外面でも良い）に沿って上側から差込まれる（下半部がゲート状に形成された）下部フレーム６を備えている。
【００２２】
該下部フレーム３の上部中央には円筒片状の柄ホルダー７ａ，７ｂが２段に分けて上下方向に且つ同一中心上に設けられ、このうち下部ホルダー７ｂは下部フレーム６の上部に溶着され、一対の円筒片からなる上部ホルダー７ａは下部フレーム６の両肩部から先端が互いに内側に向って向き合うように湾曲した補強杆５の向かい合った内端部に溶着等により固定的に取付けられている。
【００２３】
上記上下の柄ホルダー７ａ，７ｂ内に柄３を差込み、その下端を柄ホルダー７ａ，７ｂにボルト等（図示しない）によって柄３の下端が取付け固定される。上記取付フレーム４の下部フレーム６は、この例では開口フレーム２のサイドフレーム２ａ，２ｂの内面に沿って上方より差込まれ、その下端に設けた支点孔８ａとサイドフレーム２ａ，２ｂ側に設けた支点孔８ｂとで前後揺動可能に軸支されている。
【００２４】
また、下部フレーム６の上端側に設けた取付孔９ａとサイドフレーム２ａ，２ｂに設けた前後方向の長孔９ｂとにおいて、下部フレーム６とサイドフレーム２ａ，２ｂは前後傾斜角度の調節が可能にボルト締着される。この機構により柄３は籠体１に対し、上記長孔９ｂの前後長さの範囲に応じて前後の傾斜角度の調節が可能となり、貝の漁場やその他の採取条件に応じて柄の傾斜角度の調節ができる。１１は開口フレーム２の補強も兼ねて開口部に大型の石その他の水底の沈降物の導入を防止するためにサイドフレーム２ａ，２ｂ間に架設されたガードバーである。
【００２５】
開口フレーム２の下側（底辺側）には図２に示すような爪部１２が左右の全幅にわたって着脱自在に取付けられる。爪部１２は、正面視逆ゲート状に形成された爪フレーム１３と、該爪フレーム１３の左右方向の底辺部１３ａの正面側に突設され、前方に向って山形の円弧状に湾曲した多数の爪片（丸爪）１４とを備えており、円弧状に湾曲した外周部の上下の略中央部には、各爪片１４と固着される左右方向のガイドバー１６が一体的に設けられている。各爪片１４は爪フレーム１３の底辺部１３ａの下面側に嵌合孔を穿設して爪片１４の一端を差込固定してもよいし、溶接のみによって固着してもよい。
【００２６】
上記ガイドバー１６は左右方向に多数並べて突設された爪片１４同士を連結するように固着すると、貝の捕獲作業時に土圧を受け易い丸爪の補強機能を備えるが、それ以外に貝の採取作業時にジョレンが前進すると、水底の表層内を前進して貝の生息する表層部を貝と共に捲り取りながら爪片１４の円弧上周面に沿って上部後方に案内する。その結果、水底表層の砂部分は爪片１４の間から再度水底に落下するが、爪片間隔より殻径の大きい貝のみが籠体１内に案内されて捕獲される。
【００２７】
尚、上記ガイドバー１６は図示するような棒材に限られず、例えば一定幅を有する左右方向の板材（図示しない）に爪片１４を挿通する孔を穿設して爪片１４を挿通し、その前端側を爪片１４の前方外周に突出させる構造にすることもできる。
【００２８】
その他上記ガイドバー１６の代わりに、爪片１４の土圧抵抗に対する補強のみを目的として、図３に仮想線で示すように多数の爪片１４の円弧状に湾曲した内周（後面）側に補強バー１５を横向きに溶着等によって固着・連結させて設けることもできる。
【００２９】
正面視逆向きゲート状の爪フレーム１３の左右のサイドプレート１３ｂの上端には前後方向の長孔１８ａが穿設され、ここにボルト（図示しない）を挿通し、開口フレーム２のサイドフレーム２ｂの下端に設けたボルト孔１８ｂとの間で前後傾斜角を調節可能に締着固定される。この傾斜角調整は、貝採取の漁場の水底その他の条件に適合するように適宜行われる。
【００３０】
また上記サイドプレート１３ｂの正面と最外側の爪片１４との間には、爪片１４と爪フレーム１３との固定強度を補強するとともに、船の進行によって掻き込まれる貝類が開口部の左右外側に運ばれず、籠体内に案内するための導入案内部（案内プレート）１７が溶着固定されている。
【００３１】
尚、上記図示する実施形態では、籠体１の開口幅に対応し、爪部１２の左右幅は６００ｍｍ，爪片１４は均等間隔で３０本配置した。また爪片１４及びガイドバー１６の線材径は８ｍｍ，爪片１４の湾曲内径は７０ｍｍであるが、これらの数値に限定されることはなく、例えば爪片１４の湾曲内径は使用条件により３０〜８０ｍｍ程度の範囲で変更できる。上記爪片１４の隣接間隔の大小は掬い取る貝のサイズと対応している。その他ジョレンを構成する部材は柄以外はすべてステンレススチール製のものを用いている。
【符号の説明】
【００３２】
１    籠体
２    開口フレーム
２ａ，２ｂ    サイドフレーム
３    柄
４    取付フレーム
６    下部フレーム
１２    爪部
１３    爪フレーム
１４    爪片
１５    補強バー
１６    ガイドバー
１７    導入案内部
【図１】
0003212690.tif 000003
【図２】
0003212690.tif 000004
【図３】
0003212690.tif 000005
【手続補正書】
【提出日】平成29年7月25日(2017.7.25)
【手続補正１】
【補正対象書類名】実用新案登録請求の範囲
【補正対象項目名】請求項６
【補正方法】変更
【補正の内容】
【請求項６】
爪フレーム（１３）又は開口フレーム（２）の両側に、上記爪部（１２）によって掻き上げられる貝類を籠体（１）の開口部内に案内する導入案内部（１７）を設けてなる請求項５に記載の貝取りジョレンの爪構造。
【手続補正２】
【補正対象書類名】実用新案登録請求の範囲
【補正対象項目名】請求項７
【補正方法】変更
【補正の内容】
【請求項７】
籠体（１）の開口フレーム（２）に取付けられ、左右方向中央に籠体操作用の柄（３）を着脱可能に且つ上向きに取付ける柄ホルダー（７ａ），（７ｂ）を備えた取付フレーム（４）を設け、該取付フレーム（４）を開口フレーム（２）に対して前後方向の角度調節が可能に取付けてなる請求項５又は６のいずれかに記載の貝取りジョレンの爪構造。
【手続補正３】
【補正対象書類名】実用新案登録請求の範囲
【補正対象項目名】請求項８
【補正方法】変更
【補正の内容】
【請求項８】
取付フレーム（４）の両側に、開口フレーム（２）の左右両側のサイドフレーム（２ａ），（２ｂ）に沿って取付けられる下部フレーム（６）を下向きに突設し、該下部フレーム（６）を開口フレーム（２）に対し前後揺動可能に且つ前後の傾斜角を調節固定可能に取付けた請求項７に記載の貝取りジョレンの爪構造。